(57)【要約】【課題】子供やお年寄り、障害者など力の弱い者でも簡単に開封することができ、形状の小型化や軽量化、省資源の要請にも適うペットボトルのキャップを提供する。【解決手段】キャップ本体部12の側周面14に、滑り止め用のフィン16を４枚取り付けた第１のキャップ10。各フィン16は、キャップ本体部12の側周面14に対して垂直に取り付けられている。また、フィン16は、キャップ本体部12との接合部分16aからその先端部分16bにかけて均一の肉厚を備えるように構成されている。また、各フィン16は、キャップ本体部12の上端と下端を最短距離で結ぶ線αに沿って配置されている。各フィン16は、相互に等間隔をおいて配置されている。【選択図】        図１
0003109446.tif 000002
【実用新案登録請求の範囲】
【請求項１】
キャップ本体部の側周面に、滑り止め用のフィンを複数取り付けたことを特徴とするペットボトルのキャップ。
【請求項２】
上記滑り止め用のフィンが、キャップ本体部の側周面に対して垂直に取り付けられていることを特徴とする請求項１に記載のペットボトルのキャップ。
【請求項３】
上記滑り止め用のフィンが、キャップ本体部との接合部分から先端部分にかけて均一の肉厚を備えていることを特徴とする請求項１または２に記載のペットボトルのキャップ。
【請求項４】
上記滑り止め用のフィンが、キャップ本体部の上端と下端を最短距離で結ぶ線に沿って配置されていることを特徴とする請求項１〜３の何れかに記載のペットボトルのキャップ。
【請求項５】
上記滑り止め用のフィンが、キャップ本体部の上端と下端を最短距離で結ぶ線と等しい長さを備えていることを特徴とする請求項４に記載のペットボトルのキャップ。
【請求項６】
上記滑り止め用のフィンが、キャップ本体部の上端と下端を最短距離で結ぶ線よりも短い長さを備えていることを特徴とする請求項４に記載のペットボトルのキャップ。
【請求項７】
上記滑り止め用のフィンが、相互に等間隔をおいて配置されていることを特徴とする請求項１〜６の何れかに記載のペットボトルのキャップ。
【考案の詳細な説明】
【技術分野】
【０００１】
この考案はペットボトルのキャップの構造に関する。
【背景技術】
【０００２】
飲料の容器として様々なサイズのペットボトルが普及しているが、最初にキャップを開ける際にはキャップの付け根部分に形成されたミシン目を切り離す必要があり、大人の男性であっても手が濡れていると開けにくく、ましてや力の弱い子供やお年寄り、指先に障害を有する者では直に開けることができないのが現状である。
このため、非特許文献１に示すように、ペットボトルを開けるための専用器具すら販売されている。
また、特許文献１には、ペットボトルのキャップに二等辺三角形の形状を呈した凸部を複数取り付けることにより、開けやすくした凸型キャップが開示されている。
【非特許文献１】らくらくオープナー［平成１６年１２月  ７日検索］  インターネットURL:http://www.giftit.adnis.com/novelty/product_info.php?p_id=805
【特許文献１】実用新案登録第３０８１５０１号
【考案の開示】
【考案が解決しようとする課題】
【０００３】
まず、いつでもどこでも気軽に飲料を摂取できるのがペットボトルの最大の利点であるにもかかわらず、非特許文献１のように、キャップを開けるための特別な器具をユーザに準備させるのは本末転倒と言わざるを得ない。
これに対し、特許文献１の凸型キャップによれば、ユーザは特別な器具を用いることなく比較的容易にキャップを開けることが可能となる。
【０００４】
しかしながら、この凸型キャップにおいては凸部が二等辺三角形を備えるため、どうしても裾野部分が肉厚となり、その分形状の大型化や重量化が生じると共に、材料の無駄も生じることとなる。
また、凸部の先端に向けて肉厚が徐々に薄くなる二等辺三角形の形状は、場合によっては指の滑りを助長するものであり、開封時の滑りを防止するという目的からは好ましくはないと言わざるを得ない。
【０００５】
この考案は、ペットボトルのキャップが抱えていた上記の問題を解決するために案出されたものであり、指の滑りを確実に防止することによって子供やお年寄り、障害者など力の弱い者でも簡単に開封することができ、形状の小型化や軽量化、省資源の要請にも適うペットボトルのキャップを提供することを目的としている。
【課題を解決するための手段】
【０００６】
上記の目的を達成するため、この考案に係るペットボトルのキャップは、キャップ本体部の側周面に、滑り止め用のフィン（羽根部材）を複数取り付けたことを特徴としている。このフィンの枚数に限定はなく、少なくとも２枚備えていればこの考案の目的を達することができる。
上記滑り止め用のフィンは、キャップ本体部の側周面に対して垂直に取り付けられることが望ましい。
また、上記滑り止め用のフィンを、キャップ本体部との接合部分から先端部分にかけて均一の肉厚を備えるように構成することが望ましい。
上記滑り止め用のフィンは、例えばキャップ本体部の上端と下端を最短距離で結ぶ線に沿って配置される。この場合、滑り止め用のフィンを、キャップ本体部の上端と下端を最短距離で結ぶ線と等しい長さに形成することができるし、同線よりも短く形成することもできる。
上記滑り止め用のフィンは、相互に等間隔をおいて配置されることが望ましい。
【考案の効果】
【０００７】
キャップの本体部に滑り止め用のフィン（羽根部材）を複数取り付けることにより、フィンの間に指が確実に固定され、梃子の原理を利用してキャップに回転力を加えることができるため、力の弱い子供やお年寄り、障害者などであっても容易に開封することが可能となる。
しかも、各フィンは滑り止め防止の目的に適えばどのような構成でも良いため、その厚さや形状、枚数、配置方法を工夫することにより、形状の大型化や重量化、必要材料の増加を最小限に抑えることが可能となる。
【考案を実施するための最良の形態】
【０００８】
図１は、この考案に係るペットボトルの第１のキャップ10を示す部分斜視図であり、この第１のキャップ10は、プラスチックよりなる円筒状のキャップ本体部12の側周面14に、同材質よりなる長方形状のフィン16が等間隔をおいて４枚形成されている。
キャップ本体部12と各フィン16は、一体成形されている。
また、各フィン16はキャップ本体部12の上端と下端を最短距離で結ぶ線αに沿って配置されており、この線αと等しい長さを備えている。
各フィン16の厚さや幅（側周面14からの突出量）に限定はないが、例えば厚さ１mm、幅１cmに形成される。
また、各フィン16は、キャップ本体部12の上面18の中心点からの放射線に沿って、換言すれば側周面14に対して垂直に立設されている。
【０００９】
このため、各フィン16の間に指をおき、開栓方向に捻ると付け根部20と本体部12間のミシン目（図示省略）が切断され、第１のキャップ10を開けることができる。
この際、指がフィン16によってしっかりと固定され、梃子の原理が働くため力の弱い子供やお年寄りであっても容易かつ確実に第１のキャップ10を開けることが可能となる。
各フィン16は、キャップ本体部12との接合部分16aから先端部分16bにかけて等しい肉厚を備えており、上記のように側周面14に対して垂直に立設されているため、指が横滑りすることがなく、その滑り止め効果が確実に発揮される。
【００１０】
図２は他の例を示す斜視図であり、この第２のキャップ22は各フィン16の肉厚を比較的厚く（例えば３mm）設定すると共に、幅を比較的狭く（例えば0.5cm）設定した点に特徴を備えている。
このようにフィン16の幅が第１のキャップ10に比べて狭くなっているため、指の滑り止め効果は若干低下するが、その分フィン16の耐久性を高めることができる。
また、フィン16の先端に丸味を持たせることにより、指が先端に掛った場合の安全性を担保している。
【００１１】
図３は他の例を示す側面図であり、この第３のキャップ24はフィン16の形状を直角三角形状に成形した点に特徴を備えている。
また、図４は他の例を示す側面図であり、この第４のキャップ26はフィン16の形状を台形状に成形した点に特徴を備えている。
【００１２】
さらに、図５は他の例を示す側面図であり、この第５のキャップ28はフィン16の形状を半円形状に成形すると共に、その長さをキャップ本体部12の上端と下端を最短距離で結ぶ線αよりも短く構成した点に特徴を備えている。
この結果、フィン16の上端とキャップ本体部12の上端間、及びフィン16の下端とキャップ本体部12の下端間に、それぞれ僅かな隙間30、32が形成されているが、指の滑り止め効果に影響を与えることはない。
【００１３】
上記においては、フィン16の枚数が４枚の場合を例示したが、フィン16の枚数に特に限定はなく、２枚あるいは３枚でもよいし、５枚以上であってもよい。
各フィン16は、必ずしも等間隔で配置させる必要もなく、若干の偏りが存在しても問題ない。
また、各フィン16を上記のようにキャップ本体部12の上端と下端を最短距離で結ぶ線α沿って配置させたり、キャップ本体部12の側周面14に対して垂直に立設させることが望ましいが、この考案はこれに限定されるものではない。
さらに、各フィン16の肉厚は上記のように均一であることが望ましいが、滑り止め効果を減殺しない程度であれば、肉厚に多少の不均一性が存在しても許容できる。
【００１４】
フィンの形状にも特に限定はなく、上記に示した長方形状、直角三角形状、台形状、半円形状の他に、例えば瓢箪形状、コーヒーカップの取っ手形状、ハート形状、ドーナツ形状等であってもよい。
また、軽量化や省資源化を図る目的で、各フィンをメッシュ状（網目状）あるいは多孔板状に形成することもできる。
【図面の簡単な説明】
【００１５】
【図１】第１のキャップをペットボトルに装着させた状態を示す部分斜視図である。
【図２】第２のキャップを示す斜視図である。
【図３】第３のキャップを示す側面図である。
【図４】第４のキャップを示す側面図である。
【図５】第５のキャップを示す側面図である。
【符号の説明】
【００１６】
10 第１のキャップ
12 キャップ本体部
14 側周面
16 フィン
16a フィンの接合部分
16b フィンの先端部分
18 キャップ本体部の上面
20 キャップの付け根部
22 第２のキャップ
24 第３のキャップ
26 第４のキャップ
28 第５のキャップ
30 隙間
32 隙間
α キャップ本体部の上端と下端を最短距離で結ぶ線
【図１】
0003109446.tif 000003
【図２】
0003109446.tif 000004
【図３】
0003109446.tif 000005
【図４】
0003109446.tif 000006
【図５】
0003109446.tif 000007